(57)【要約】  【課題】従来の工業ブラシ用毛材に比べて被洗浄体表面およびその微細部分の汚れを効率よく洗浄することができるとともに、被洗浄体表面に傷を付けることがない工業ブラシ用毛材および工業ブラシの提供。  【解決手段】合成樹脂異形断面モノフィラメントのカットブリッスルからなる工業ブラシ用毛材１であって、異形断面は複数の球状凸部６とこの球状凸部６間に位置する凹部７とを有する多葉断面であり、カットブリッスルの本体部側面にその長さ方向に沿って前記球状凸部６からなる複数の螺旋状凸条部２を有するとともに、カットブリッスルの少なくとも一端側に球状凸部６からなる複数の分岐毛３を有し、かつこれら各分岐毛３の先端がテーパー状に形成されている工業ブラシ用毛材。【選択図】図１
2007260199.tif 000002
【特許請求の範囲】
【請求項１】
合成樹脂異形断面モノフィラメントのカットブリッスルからなる工業ブラシ用毛材であって、前記異形断面は複数の球状凸部とこの球状凸部間に位置する凹部とを有する多葉断面であり、前記カットブリッスルの本体部側面にその長さ方向に沿って前記球状凸部からなる複数の螺旋状凸条部を有するとともに、前記カットブリッスルの少なくとも一端側に前記球状凸部からなる複数の分岐毛を有し、かつこれら各分岐毛の先端がテーパー状に形成されていることを特徴とする工業ブラシ用毛材。
【請求項２】
前記異形断面が３〜６つの球状凸部を有する多葉断面であることを特徴とする請求項１に記載の工業ブラシ用毛材。
【請求項３】
前記螺旋状凸条部の螺旋回数が０．５〜４．０回転／ｃｍであることを特徴とする請求項１または２に記載の工業ブラシ用毛材。
【請求項４】
前記ブリッスルの本体部外接円直径が１０〜１８０μｍであることを特徴とする請求項１〜３のいずれか１項に記載の工業ブラシ用毛材。
【請求項５】
前記合成樹脂異形断面モノフィラメントがポリエステル系樹脂からなることを特徴とする請求項１〜４のいずれか１項に記載の工業ブラシ用毛材。 
【請求項６】
請求項１〜５のいずれか１項に記載の工業ブラシ用毛材を毛材の少なくとも１部に使用したことを特徴とする工業ブラシ。
【発明の詳細な説明】
【技術分野】
【０００１】
本発明は、従来の工業ブラシ用毛材に比べて被洗浄体表面を傷付けることがなく、且つ清掃性に優れた工業ブラシ用毛材およびこの工業ブラシ用毛材を使用した工業ブラシに関するものである。
【背景技術】
【０００２】
液晶ディスプレイやプラズマディスプレイに代表されるＦＤＰや各種半導体の製造においては、基盤の精密洗浄が不可欠であり、その洗浄精度が製品の性能や不良率に大きく影響する。特にＦＤＰは近年大型化が進み、その長大な基盤全体を高精度に洗浄する新たな技術が求められている。
【０００３】
従来から、ＦＤＰ用基盤の洗浄には、合成樹脂製毛材を植毛したロールブラシを回転させ、流水中でこのロールブラシをＦＤＰ表面に押し当てて物理的に汚れを除去する方法が採用されている。しかし、この方法ではロールブラシを押圧して洗浄するため、毛材全体が湾曲して毛材側面で摩擦洗浄することになり、その結果、ＦＤＰの平面部分の汚れは除去されるものの、細部には異物が残留しやすいといった欠点があった。
【０００４】
また、従来の合成樹脂製毛材は、基台に植毛してブラシに加工する際に、毛材の長さを揃えるために切断加工を行う必要があり、その際に毛材の長さに誤差が生じるため、被洗浄体表面に傷が付いたり、さらには汚れが再付着したりするなどの問題があった。
【０００５】
これに対し、先端にテーパー部を形成したブラシ用毛材（例えば、特許文献１参照）が知られており、このブラシ用毛材は、その毛先が被洗浄体表面の微細部分まで入りやすいために細かな汚れも落としやすく、また毛先が柔らかいために被洗浄体表面を傷付けにくいなどの特長を有するものであった。しかしながら、このブラシ用毛材を工業ブラシとして使用した場合には、毛材の摺動方向に沿って、毛材の側面が被洗浄体表面に付着した汚れに対し線接触するだけであるため、被洗浄体表面の汚れを落とす性能が弱いという問題があった。
【０００６】
また、三角或いは四角断面モノフィラメントからなるブリッスルを捻り加工すると共に、このブリッスルの先端に複数の先鋭なテーパー状の分岐毛を形成したブラシ用毛材（例えば、特許文献２参照）も既に知られており、このブラシ用毛材は、毛材と被洗浄体表面との接触面積が増大することから、上述した従来のブラシ用毛材よりもさらに高い清掃性が得られるという特徴を有するものであった。しかしながら、このブラシ用毛材は、毛材の側面長手方向に捻り加工により形成された凸条の先端が鋭利であることから、被洗浄体表面に傷を付けやすいという問題を包含するものであった。
【０００７】
これに対して、毛先にテーパー部とこのテーパー部の外周に捩り形成された螺旋状の溝とを形成することにより、異物を効果的に除去できるようにしたブラシ用毛材（例えば、特許文献３参照）が既に提案されている。しかし、このブラシ用毛材を工業ブラシ用として使用した場合もまた、期待するほどの清掃効果が得られないばかりか、その加工方法が極めて難しく、製造コストが高くなるなど製造面でも多くの問題を抱えていた。
【０００８】
このように、従来のブラシ用毛材は、それぞれ特異的な特徴を有するものの、工業ブラシ用毛材としての要求特性を十分に満足するものではなかったため、新たな特性を備えた工業用ブラシの実現が頻りに求められていた。
【特許文献１】特許第３１４５２１３号公報
【特許文献２】特開２００３−１４４２２９号公報
【特許文献３】特開２００３−１８９９４３号公報
【発明の開示】
【発明が解決しようとする課題】
【０００９】
本発明は、上記従来技術における問題点の解決を課題として検討した結果達成されたものある。すなわち、本発明は、従来の工業ブラシ用毛材に比べて被洗浄体表面を傷付けることがなく、且つ清掃性に優れた工業ブラシ用毛材およびこの工業ブラシ用毛材を使用した工業ブラシを提供することにある。
【課題を解決するための手段】
【００１０】
上記目的を達成するために本発明によれば、合成樹脂異形断面モノフィラメントのカットブリッスルからなる工業ブラシ用毛材であって、前記異形断面は複数の球状凸部とこの球状凸部間に位置する凹部とを有する多葉断面であり、前記カットブリッスルの本体部側面にその長さ方向に沿って前記球状凸部からなる複数の螺旋状凸条部を有するとともに、前記カットブリッスルの少なくとも一端側に前記球状凸部からなる複数の分岐毛を有し、かつこれら各分岐毛の先端がテーパー状に形成されていることを特徴とする工業ブラシ用毛材が提供される。
【００１１】
なお、本発明の工業ブラシ用毛材においては、
前記異形断面が３〜６つの球状凸部を有する多葉断面であること、
前記螺旋状凸条部の螺旋回数が０．５〜４．０回転／ｃｍであること、
前記ブリッスルの本体部外接円直径が１０〜１８０μｍであること、および
前記合成樹脂異形断面モノフィラメントがポリエステル系樹脂からなること
が、いずれも好ましい条件として挙げられ、これらの条件を満たすことによりさらに優れた効果を取得することができる。
【００１２】
また、本発明の工業ブラシは、上記の工業ブラシ用毛材を毛材の少なくとも一部に使用したことを特徴とし、従来の工業ブラシに比べて洗浄体表面およびその微細部分の汚れを効率よく洗浄することができるとともに、被洗浄体表面に傷を付けることがないなどの優れた効果を奏する。
【発明の効果】
【００１３】
本発明の工業ブラシ用毛材および工業ブラシは、その毛先にテーパー形状を有する複数本の分岐毛を有するために、毛先が被洗浄体表面の微細部分にまで入り込み、細かな汚れを効率よく除去することができるとともに、毛材の本体部側面長手方向に沿った螺旋状凸条部の先端が球状で丸みを帯びているため、被洗浄体表面を傷付けることがなく、被洗浄体表面の汚れをより効果的に除去することができる。
【００１４】
よって、本発明によれば、より一層高い清掃効果を備えた工業ブラシを得ることができる。
【発明を実施するための最良の形態】
【００１５】
以下、本発明を図面に従って具体的に説明する。
【００１６】
図１の（ａ）は本発明の工業ブラシ用毛材の一例を示した概略図であり、１は工業ブラシ用毛材、２は螺旋状凸条部、３は分岐毛、４は本体部をそれぞれ示している。
【００１７】
また、図１の（ｂ）および（ｃ）はそれぞれ図１（ａ）の工業ブラシ用毛材１を線Ａ−ＡおよびＢ−Ｂで切断した際に現れる断面図であり、５は工業ブラシ用毛材１の本体部分４における異形断面、６はその異形断面５の球状凸部、７は同じく異形断面５の凹部、８は工業ブラシ用毛材１の分岐毛３の断面を示している。
【００１８】
本発明の工業ブラシ用毛材１は、図１に示すように、合成樹脂異形断面モノフィラメントのカットブリッスルからなり、異形断面５は複数の球状凸部６とこの球状凸部間に位置する凹部７とを有する多葉断面からなり、カットブリッスルの本体部４側面にその長さ方向に沿って球状凸部６からなる螺旋状凸条部溝２を有するとともに、カットブリッスルの少なくとも一端側に球状凸部６からなる複数の分岐毛３を有し、かつこれら各分岐毛３の先端がテーパー状に形成されていることを特徴とする。
【００１９】
本発明の工業ブラシ用毛材１の側面に形成された螺旋状凸条部２は、工業ブラシに使用した場合に、被洗浄体表面に付着した汚れを効率よく除去することができるため、高い清掃性を得る上で重要な役目を持っている。
【００２０】
すなわち、本発明の工業ブラシ用毛材を工業ブラシとして使用した場合には、毛材の摺動方向に沿って、毛材の側面に形成された複数の螺旋状凸条部が、被洗浄体表面に付着した汚れに対し線接触と点接触とで接触し、全体の接触面積が増大するため、被洗浄体表面の汚れを落とす性能が飛躍的に向上するばかりか、螺旋状凸条部の先端が球状で丸みを帯びているため、被洗浄体表面を傷付けることがなく、被洗浄体表面の汚れをより効果的に除去することができるのである。
【００２１】
ここで、工業ブラシ用毛材の側面に、その長さ方向に沿って形成される螺旋状凸条部の螺旋回数は、工業ブラシ用毛材の長さ方向に沿って０．５〜４．０回転／ｃｍであることが好ましく、さらには１．０〜３．０回転／ｃｍであることがより好ましい。
【００２２】
この理由は、螺旋状凸条部の螺旋回数が上記範囲を下まわる場合は、清掃性に欠けた工業ブラシ用毛材となりやすく、逆に上記範囲を上回る場合は、工業ブラシ用毛材に曲がり癖が付きやすくなるばかりか、強度低下など、物性面に影響が及びやすいからである。
【００２３】
なお、本発明の工業ブラシ用毛材を構成するブリッスルの本体部外接円直径は、１０〜１８０μｍであることが好ましく、さらには２０〜１５０μｍであることがより好ましい。
【００２４】
この理由は、本体部外接円直径が上記範囲を下まわる場合は、清掃性に欠けた工業ブラシ用毛材となりやすく、逆に上記範囲を上回る場合は、糸質が硬くなり、被洗浄体表面を傷付ける場合があるからである。
【００２５】
次に、本発明の工業ブラシ用毛材の少なくとも一端側に形成されるテーパー状の分岐毛は、被洗浄体表面の微細部分の細かな汚れを効率よく除去し、かつ被洗浄体表面を傷付けることがないなどの重要な役割を持つ。
【００２６】
つまり、本発明の工業ブラシ用毛材は、その一端にテーパー形状を有する複数本の分岐毛を有することにより、被洗浄体表面の微細部分に入り込みやすく、細かな汚れを効率よく除去することができるとともに、被洗浄体表面を傷付けることがなく、綺麗に洗浄することができるのである。
【００２７】
なお、本発明の工業ブラシ用毛材の螺旋状の螺旋状凸条部は何ら特殊な方法で形成する必要はなく、例えば、異形断面モノフィラメントを捻り、熱セットすることで容易に形成することができる。
【００２８】
また、異形断面の形状については、被洗浄体表面の洗浄効果と後に記すアルカリ溶液による減量加工で容易に分岐毛を形成せしめることができるとの理由から、図１（ｂ）および図２の（イ）〜（ホ）に示すような複数の球状凸部６を有する多葉形が好ましく、さらには３〜６つの球状凸部６を有する多葉形が好ましい。
【００２９】
さらに、本発明の工業ブラシ用毛材を構成する合成樹脂については、ポリカプラミド、ポリヘキサメチレンアジパミド、ポリヘキサメチレンセバカミド、ポリヘキサメチレンドデカミド、ナイロン４６、ナイロンＭＤＸ６、ナイロン１１、ナイロン１２、ポリ（カプラミド／ヘキサメチレンアジパミド）共重合体およびポリ（カプラミド／ラウラミド）共重合体などのポリアミド系樹脂、ポリエチレンテレフタレート、ポリブチレンテレフタレート、ポリエチレンナフタレート、ポリプロピレンテレフタレート、ポリメチレンナフタレート、ポリブチレンナフタレート、ポリプロピレンナフタレートなどのポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリオレフィン系樹脂などから１種類または２種類以上適宜選択して使用することができ、特に限定されないが、後に記すアルカリ溶液による減量加工を利用して、工業ブラシ用毛材の一端にテーパー形状の分岐毛を容易に形成することができるとの理由から、本発明の工業ブラシ用毛材にはポリエステル系樹脂の使用が好ましく、さらには摩耗や弾性回復性などの耐久性に優れるとの理由から、ポリブチレンテレフタレートの使用が好ましい。
【００３０】
なお、本発明で使用するポリエステル系樹脂には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられるが、これらの中から２種以上を選択して適宜使用することもできる。
【００３１】
また、本発明の工業ブラシ用毛材１には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることもできる。
【００３２】
次に、本発明の工業ブラシ用毛材および工業ブラシの製造方法について説明する。
【００３３】
まず、本発明の工業ブラシ用毛材に使用される合成樹脂異形断面モノフィラメントの製造には、何ら特殊な製造装置を使用する必要はなく、例えば、公知のエクストルーダー型溶融紡糸機を使用して製造することができる。
【００３４】
具体的にポリエステル系樹脂を使用して工業ブラシ用毛材を製造する場合には、予め乾燥したポリエステル系樹脂をエクストルーダー型溶融紡糸機に供給し、ポリエステル系樹脂の融点より２０〜１００℃高い温度で溶融混練した後、異形断面形状の吐出孔を有する紡糸口金からポリエステル系樹脂の溶融物を押し出す。
【００３５】
次に、押し出されたポリエステル系樹脂の溶融物は、冷却浴中で冷却固化した後、９０℃以上ポリエステル系樹脂の融点以下の温度条件下で３．５〜６．０倍に加熱延伸され、さらに必要に応じて加熱弛緩処理が施されて一旦巻き取られる。
【００３６】
ここで、巻き取られた異形断面モノフィラメントには、その長さ方向に波形状を付与することもでき、波形状を付与することによりさらに触感性に優れた工業ブラシ用毛材を取得することができる。
【００３７】
そして、一旦巻き取られた異形断面モノフィラメントは、例えば、捻りながら熱セット加工することにより、その側面に長さ方向に沿って螺旋状凸条部が形成される。
【００３８】
次に、螺旋状凸条部が形成された異形断面モノフィラメントは、再び複数本に束ねられた後、使用する工業ブラシに応じた長さに切断され、カットブリッスルに加工され、さらにアルカリ溶液に浸漬され減量加工が施される。
【００３９】
そして、アルカリ溶液による減量加工により、異形断面モノフィラメントの異形断面５の凹部が球状凸部よりも先に溶解して、球状凸部同士がそれぞれ分離し、さらに分離した各先端部分がテーパー状に溶解して分岐毛３が形成される。
【００４０】
その後、洗浄および乾燥工程を経て得られたカットブリッスルは、工業ブラシ用毛材として通常の製造方法により工業ブラシに植毛される。
【実施例】
【００４１】
以下、本発明の工業ブラシ用毛材について、実施例を挙げて詳細に説明するが、本発明はその要旨を超えない限り以下の実施例に何ら限定されるものではない。
【００４２】
なお、実施例および比較例における工業ブラシ用毛材の各物性および工業ブラシの実用評価については以下の通り行った。
【００４３】
また、工業ブラシの評価には、実施例および比較例で得られた工業ブラシ用毛材を植毛したチャンネル型のロールブラシ（直径１０ｍｍ、長さ５００ｍｍ）を使用した。
【００４４】
〔液晶基板の清掃性〕
得られたロールブラシを液晶基板（７３０ｍｍ×９２０ｍｍ）上に接触させ、加温した純水を噴霧しながら５００ｒｐｍの回転で液晶基板を洗浄した。
【００４５】
その後、液晶基板の表面を光学顕微鏡もしくは走査型電子顕微鏡にて観察し、汚れの付着状態を確認した。なお、判定基準は以下の３段階とした。
Ａ・・液晶基板上の汚れの数が０〜１０の範囲であった、
Ｂ・・液晶基板上の汚れの数が１１〜３５の範囲であった、
Ｃ・・液晶基板上の汚れの数が３６以上であった。
【００４６】
〔液晶基板上の傷の状況〕
上記評価方法と同時に、洗浄後の液晶基板の表面を光学顕微鏡もしくは走査型電子顕微鏡で観察し、傷の発生状態を確認した。なお、判定基準は以下の３段階とした。
１・・液晶基板上の傷の数が０〜５の範囲であった、
２・・液晶基板上の傷の数が６〜１５の範囲であった、
３・・液晶基板上の傷の数が１５以上であった。
【００４７】
〔実施例１〕
ポリブチレンテレフタレート樹脂（東レ（株）製  １２００Ｓ、以下、ＰＢＴという）を溶融紡糸機に供給して溶融混練した後、紡糸口金から溶融物を押し出し、冷却固化して未延伸を得た。
【００４８】
その後、巻き取ることなく、温水浴および乾熱熱風浴中で加熱延伸し、さらに乾熱熱風浴中で加熱弛緩処理を施して、直径１００μｍ、かつ３葉形断面の異形断面モノフィラメントを製糸した。
【００４９】
次に、得られた異形断面モノフィラメントを熱セットしながら捻り加工し、異形断面モノフィラメントの側面にその長さ方向に沿って螺旋回数１．５回転／ｃｍの螺旋状凸条部を設けた。
【００５０】
さらに、この異形断面モノフィラメントを複数本に束ねて、その束の外周に紙テープを巻き、３０ｃｍの長さのカットブリッスルに加工した。そして、このカットブリッスルを水酸化ナトリウム水溶液に浸漬して減量加工を施し、カットブリッスルの両端にテーパー形状を有する分岐毛を３本形成し、工業ブラシ用毛材を作成した。
【００５１】
〔実施例２、３〕
異形断面モノフィラメントの断面を６葉形と８葉形に変更したこと以外は、実施例１と同じ方法により工業ブラシ用毛材を作成した。  
【００５２】
〔実施例４、５〕
螺旋状凸条部の螺旋回数を０．４回転／ｃｍと４．５回転／ｃｍに変更したこと以外は、実施例１と同じ方法により工業ブラシ用毛材を作成した。  
【００５３】
〔実施例６〕
ＰＢＴの代わりにポリエチレンテレフタレート樹脂（東レ（株）製  Ｔ２５０Ｍ、以下、ＰＥＴという）を使用したこと以外は、実施例１と同じ方法により工業ブラシ用毛材を作成した。  
【００５４】
〔比較例１〕
異形断面モノフィラメントの断面を丸形とし、さらに捻り加工を施さなかったこと以外は、実施例１と同じ方法により、単一テーパー形状の工業ブラシ用毛材を作成した。
【００５５】
〔比較例２〕
異形断面モノフィラメントの断面を三角形としたこと以外は、実施例１と同じ方法により、単一テーパー形状の工業ブラシ用毛材を作成した。
【００５６】
〔比較例３〕
異形断面モノフィラメントおよびそのカットブリッスルに捻り加工と水酸化ナトリウム溶液による減量加工を施さなかったこと以外は、実施例１と同じ方法により工業ブラシ用毛材を作成した。
【００５７】
〔比較例４〕
異形断面モノフィラメントに捻り加工を施さなかったこと以外は、実施例１と同じ方法により工業ブラシ用毛材を作成した。
【００５８】
〔比較例５〕
異形断面モノフィラメントのカットブリッスルに水酸化ナトリウム溶液による減量加工を施さなかったこと以外は、実施例１と同じ方法により工業ブラシ用毛材を作成した。
【００５９】
以上、得られた工業ブラシ用毛材の評価結果を表１に併せて記載する。
【００６０】
【表１】
2007260199.tif 000003
【００６１】
表１から明らかなように、本発明の条件を満たした工業ブラシ用毛材（実施例１〜６）は、比較例の工業ブラシ用毛材に比べて清掃性に優れ、液晶パネル用ガラス基盤表面に傷を付けることがないなど、優れた機能を有するものであることが分かる。
【００６２】
これに対して、本発明の条件を満たさない工業ブラシ用毛材（比較例１〜５）は、清掃性に欠けるばかりか、液晶パネル用ガラス基盤表面に傷を付けやすいものであることが分かり、例えば、溝も分岐毛も持たない単一テーパー形状の工業ブラシ用毛材（実施例１）は清掃性に欠け、螺旋状凸条部を有するが、分岐毛を持たない単一テーパー形状の工業ブラシ用毛材（実施例２）も洗浄性に欠け、凸条部を有するが、その凸条部が螺旋状に形成されておらず、かつ分岐毛を持たない工業ブラシ用毛材（比較例３）は清掃性に欠けるばかりか、液晶パネル用ガラス基盤表面に傷が付きやすく、凸条部と分岐毛を有するが、その凸条部が螺旋状に形成されていない工業ブラシ用毛材（比較例４）は清掃性に欠け、さらに螺旋状凸条部を有するが、分岐毛を持たない工業ブラシ用毛材（比較例５）も清掃性に欠けたものであった。
【産業上の利用可能性】
【００６３】
本発明の工業ブラシ用毛材および工業ブラシによれば、その毛先にテーパー形状を有する複数本の分岐毛を有するために、被洗浄体表面の細かな汚れを効率よく除去することができるとともに、毛材の本体部側面長手方向に沿った螺旋状凸条部の先端が球状で丸みを帯びているため、被洗浄体表面を傷付けることがなく、被洗浄体表面の汚れをより効果的に除去することができ、より一層高い清掃効果が得られる。
【００６４】
そして、本発明の工業ブラシ用毛材を使用した工業ブラシは、その特長を活かして、特にＦＤＰや各種半導体の基盤の製造工程など、高精度な洗浄が要求される精密洗浄分野に極めて有用である。
【図面の簡単な説明】
【００６５】
【図１】図１の（ａ）は本発明の工業ブラシ用毛材の一例を示す模式図、（ｂ）および（ｃ）はそれぞれ工業ブラシ用毛材の線Ａ−Ａおよび線Ｂ−Ｂにおける断面図である。
【図２】図２の（イ）〜（ホ）は本発明の工業ブラシ用毛材を構成するブリッスルの異形断面を示す断面図である。
【符号の説明】
【００６６】
１    工業ブラシ用毛材
２    螺旋状凸条部
３    分岐毛
４    本体部
５    工業ブラシ用毛材の本体部分の異形断面 
６    球状凸部
７    凹部
８    工業ブラシ用毛材の分岐毛部分の断面
【図１】
2007260199.tif 000004
【図２】
2007260199.tif 000005